(57)【要約】【課題】外部制御ＰＣやケーブルを不要とし、無線機用テスタや無線機用テストシステムの設置領域の自由度を広げた無線機用テスタおよび無線機用テストシステムを実現する。【解決手段】外部制御ＰＣから出力される通信コマンドプログラムを入力する無線機用テスタに改良を加えたものである。本テスタは、外部制御ＰＣの通信コマンドプログラムの発信機能を組み込んだことを特徴とするものである。【選択図】図１
2007221771.tif 000002
【特許請求の範囲】
【請求項１】
外部制御ＰＣから出力される通信コマンドプログラムを入力する無線機用テスタにおいて、
前記外部制御ＰＣの通信コマンドプログラムの発信機能を組み込んだことを特徴とする無線機用テスタ。
【請求項２】
外部制御ＰＣから出力される通信コマンドプログラムを入力する無線機用テスタにおいて、
前記通信コマンドプログラムを格納するメモリを設けたことを特徴とする無線機用テスタ。
【請求項３】
前記メモリの空き容量または新たに設けたメモリ領域に設置したメモリに、前記通信コマンドプログラムを書き込むようにしたことを特徴とする請求項２記載の無線機用テスタ。
【請求項４】
通信コマンドプログラムは、所望のテストを無線機に実施させるための通信コマンド信号を無線機用テスタに送信させるものであることを特徴とする請求項１〜３のいずれかに記載の無線機用テスタ。
【請求項５】
前記無線機にテストを実施させている間は、前記外部制御ＰＣから通信コマンドプログラムが入力されないことを特徴とする請求項４記載の無線機用テスタ。
【請求項６】
前記無線機は携帯電話機であることを特徴とする請求項４または５記載の無線機用テスタ。
【請求項７】
前記外部制御ＰＣから出力される通信コマンドプログラムを、有線、無線、外部記憶媒体を介して入力することを特徴とする請求項１〜６のいずれかに記載の無線機用テスタ。
【請求項８】
請求項１〜７のいずれかに記載の無線機用テスタと、
この無線機用テスタによってテストが実施される無線機と、
前記無線機用テスタに通信コマンドプログラムを出力する外部制御ＰＣと
を設けたことを特徴とする無線機用テストシステム。
【発明の詳細な説明】
【技術分野】
【０００１】
本発明は、移動無線機（例えば携帯電話機）の無線機用テスタおよびこの無線機用テスタを用いた無線機用テストシステムに関し、無線機用テスタおよび無線機用テストシステムの簡素化を図ったものである。
【背景技術】
【０００２】
従来、携帯電話の性能をテストする無線機用テストシステムとしては図４に示す構成のものが知られている。図４において、１は携帯電話機テスタ、２は携帯電話機であり、これらはＲＦケーブル３を介して接続されている。４は外部制御ＰＣでＳｅｒｉａｌ又はＧＰＩＢケーブル５により携帯電話機テスタ１に接続されている。
【０００３】
上述の構成において、制御ＰＣ４からケーブル５を介して通信コマンドプログラムが携帯電話機テスタ１に送信され、携帯電話機テスタ１はそのプログラムに従って携帯電話機２にテスト項目を送信する。携帯電話機２はそのテスト項目を受信して自身の状態を携帯電話機テスタ１に送信する。
【０００４】
なお、移動無線機用テストシステムの先行技術としては例えば下記の特許文献に示されたものがある。
【０００５】
【特許文献１】特開２００４−２３７５５号公報
【発明の開示】
【発明が解決しようとする課題】
【０００６】
ところで、上述の従来例においては、携帯電話機テスタ１にケーブルを介して外部の制御ＰＣ４を接続して通信コマンドプログラムを取り入れるため、製造ラインにおいても外部制御ＰＣ４が必要になるという問題がある。
【０００７】
即ち、携帯電話機テスタ１とともに外部の制御ＰＣ４が必要となるため制御ＰＣ４の設置や保守が必要となり、携帯電話機テスタ１と接続のためのケーブル５も必要なので携帯電話機テスタ１や制御ＰＣ４の設置範囲が制限されるという問題があった。
【０００８】
従って、本発明の目的は、携帯電話機の評価用として作成された外部制御ＰＣの通信コマンドプログラムを携帯電話機テスタに持たせることにより、外部制御ＰＣやケーブルを不要とし、無線機用テスタおよび無線機用テストシステムの設置領域の自由度を広げた移動無線機テストシステムを実現することにある。
【課題を解決するための手段】
【０００９】
本発明は上記問題点を解決するためになされたもので、請求項１記載の発明は、
外部制御ＰＣから出力される通信コマンドプログラムを入力する無線機用テスタにおいて、
前記外部制御ＰＣの通信コマンドプログラムの発信機能を組み込んだことを特徴とするものである。
請求項２記載の発明は、
外部制御ＰＣから出力される通信コマンドプログラムを入力する無線機用テスタにおいて、
前記通信コマンドプログラムを格納するメモリを設けたことを特徴とするものである。
請求項３記載の発明は、請求項２記載の発明において、
前記メモリの空き容量または新たに設けたメモリ領域に設置したメモリに、前記通信コマンドプログラムを書き込むようにしたことを特徴とするものである。
請求項４記載の発明は、請求項１〜３のいずれかに記載の発明において、
通信コマンドプログラムは、所望のテストを無線機に実施させるための通信コマンド信号を無線機用テスタに送信させるものであることを特徴とするものである。
請求項５記載の発明は、請求項４記載の発明において、
前記無線機にテストを実施させている間は、前記外部制御ＰＣから通信コマンドプログラムが入力されないことを特徴とするものである。
請求項６記載の発明は、請求項４または５記載の発明において、
前記無線機は携帯電話機であることを特徴とするものである。
請求項７記載の発明は、請求項１〜６のいずれかに記載の発明において、
前記外部制御ＰＣから出力される通信コマンドプログラムを、有線、無線、外部記憶媒体を介して入力することを特徴とするものである。
請求項８記載の発明は、
請求項１〜７のいずれかに記載の無線機用テスタと、
この無線機用テスタによってテストが実施される無線機と、
前記無線機用テスタに通信コマンドプログラムを出力する外部制御ＰＣと
を設けたことを特徴とするものである。
【発明の効果】
【００１０】
以上説明したことから明らかなように本発明によれば、次のような効果がある。
外部制御ＰＣの通信コマンドプログラムの発信機能を無線機用テスタに組み込んだので、外部制御ＰＣやケーブルを不要とし、無線機用テスタおよび無線機用テストシステムの設置領域の自由度を広げることができる。
【発明を実施するための最良の形態】
【００１１】
図１は本発明の一実施例を示すブロック構成図である。図において１は携帯電話機テスタであり、このテスタ１には図４で示す従来例で用いた制御ＰＣ４の発信機能が格納されている。２は従来例と同様の携帯電話機であり、ＲＦケーブル３を介して携帯電話機テスタ１と接続されている。
【００１２】
図１において、携帯電話機テスタ１には制御ＰＣ４の機能が格納されているので，従来接続されていた制御ＰＣ４や、この制御ＰＣ４と携帯電話機テスタ１を接続するシリアル又はＧＰＩＢケーブル５が不要となっている。
【００１３】
図１では携帯電話機テスタ１に内蔵された制御ＰＣ４の機能を用いて携帯電話機２に通信コマンド信号を送信し、その信号に対応したテストが実施され、携帯電話機２はその信号中のテスト項目を受信して自身の状態を携帯電話機テスタ１に送信する。
【００１４】
次に、図２，図３を用いて携帯電話機テスタ１に制御ＰＣで作成した通信コマンドプログラムを格納する過程を説明する。
図２において、制御ＰＣで通信コマンドプログラムを作成する。
【００１５】
次に図３において、この通信コマンドプログラムをシリアル又はＧＰＩＢケーブル５を介して携帯電話機テスタ１内のメモリ（図示せず）の空きメモリスペースに書き込む。書き込みスペースがない場合は、携帯電話機テスタ１にメモリを追加してそのメモリに書き込む。
【００１６】
そして、所望のテストを携帯電話機２に実施させる場合、外部制御ＰＣ４やシリアル又はＧＰＩＢケーブル５をテスタ１に接続せず、テスタ１単体で動作させる。すなわち、携帯電話機テスタ１のＣＰＵ（図示せず）が、メモリから通信コマンドプログラムを読み出し、このプログラムに従って、通信コマンド信号を携帯電話機２に送信する。そして、携帯電話機２が、通信コマンド信号に従って所定のテストを行ない、テスト結果やテストに対する自身の状態等をテスタ１に返信する。
【００１７】
ここで、通信コマンド信号とは、所望のテストを携帯電話機２に実施させるための信号である。また、通信コマンドプログラムとは、テスタ１から携帯電話機２へと通信コマンド信号をテスタ１に送信させるものである。
【００１８】
上述の構成によれば、制御ＰＣ４の機能を携帯電話機テスタ１で併せ持つことができ、外部制御ＰＣ４やＳｅｒｉａｌ又はＧＰＩＢケーブル５が不要となり、テスタ１単独でテストでき、テスタ１やテストシステムの設置領域の自由度を広げた無線機用テスタおよび移動無線機用テストシステムを実現することができる。
【００１９】
なお、以上の説明は、本発明の説明および例示を目的として特定の好適な実施例を示したに過ぎない。本発明では、携帯電話機テスタ１と携帯電話機２をＲＦケーブル３で接続されたテストシステムを示したが携帯電話機テスタ１と携帯電話機２はＲＦケーブルが不要な無線接続されたものであってもよい。
【００２０】
また、本発明では、移動無線機として携帯電話機を用いたが、他の移動体無線機であってもよい。
【００２１】
また、本発明では、外部制御ＰＣ４と携帯電話機テスタ１とをシリアル又はＧＰＩＢケーブル５で接続して通信を行なう構成を示したが、どのようなケーブルを用いてもよい。そして、有線に限らず無線で通信を行なって通信コマンドプログラムを外部制御ＰＣ４からテスタ１に入力させてもよい。また、外部制御ＰＣ４やテスタ１に取り付け・取り外しが可能な外部記憶媒体（例えば、ＵＳＢメモリ、フレキシブルディスク等）を介して通信コマンドプログラムを外部制御ＰＣ４からテスタ１に入力させてもよい。
【００２２】
従って本発明は、上記実施例に限定されることなく、その本質から逸脱しない範囲で更に多くの変更、変形を含むものである。
【図面の簡単な説明】
【００２３】
【図１】本発明の一実施例を示す移動無線機用テストシステムのブロック構成図である。
【図２】本発明の移動無線機用テストシステムの格納工程を示す工程図である。
【図３】本発明の移動無線機用テストシステムの格納工程を示す工程図である。
【図４】従来の移動無線機用テストシステムの一例を示すブロック構成図である。
【符号の説明】
【００２４】
１  携帯電話機テスタ（無線機用テスタ）
２  携帯電話機
３  ＲＦケーブル
４  外部制御ＰＣ
５  Ｓｅｒｉａｌ又はＧＰＩＢケーブル
【図１】
2007221771.tif 000003
【図２】
2007221771.tif 000004
【図３】
2007221771.tif 000005
【図４】
2007221771.tif 000006